(57)【要約】【課題】著作権を補償した状態で著作物を簡易に使用できるようにした著作物提供システム等を提供する。【解決手段】、ユーザ識別子に関連付けられた検証対象物の画像データから特徴データを生成する画像分析装置と、著作物の画像データが格納される著作物データベースと、ユーザ識別子に対応する登録情報が格納される登録情報データベースと、ユーザ識別子に関連付けられた検証対象物の特徴データと、著作物データベースに格納された著作物の画像データとを照合することによって検証対象物に該当する著作物を検索する著作物管理装置とを備える著作物提供システムとする。著作物管理装置は、検証対象物に該当する著作物が検出された場合、登録情報データベースに格納された登録情報に基づき、ユーザ識別子で識別されるユーザによる著作物の使用条件に応じて、検証対象物に該当する著作物を表示装置に向けて送信する。【選択図】      図１
2020190858.tif 000002
【特許請求の範囲】
【請求項１】
ユーザ識別子に関連付けられた検証対象物の画像データを受信し、受信した前記検証対象物の画像データから特徴データを生成し、生成した前記検証対象物の特徴データを前記ユーザ識別子に関連付けて送信する画像分析装置と、
著作物の画像データが格納される著作物データベースと、
前記ユーザ識別子に対応する登録情報が格納される登録情報データベースと、
前記ユーザ識別子に関連付けられた前記検証対象物の特徴データを受信し、前記著作物データベースに格納された前記著作物の画像データと前記検証対象物の特徴データとを照合することによって前記検証対象物に該当する前記著作物を検索する著作物管理装置とを備え、
前記著作物管理装置は、
前記検証対象物に該当する前記著作物が検出された場合、前記登録情報データベースに格納された前記登録情報に基づき、前記ユーザ識別子で識別されるユーザによる前記著作物の使用条件に応じて、前記検証対象物に該当する前記著作物を前記画像分析装置に送信し、
前記画像分析装置は、
前記著作物管理装置から受信した前記検証対象物に該当する前記著作物を前記ユーザによって視認される表示装置に転送する著作物提供システム。
【請求項２】
前記著作物管理装置は、
前記検証対象物に該当する前記著作物が検出され、かつ前記著作物が著作権使用料の支払対象であった場合、前記登録情報データベースに格納された前記登録情報に基づき、前記ユーザによる前記著作物の著作権使用料の支払処理を実行し、前記検証対象物に該当する前記著作物を前記画像分析装置に送信する請求項１に記載の著作物提供システム。
【請求項３】
前記著作物管理装置は、
前記ユーザ識別子に関連付けられた前記検証対象物の特徴データを受信し、前記検証対象物に該当する前記著作物を前記画像分析装置に送信するデータ送受信手段と、
前記データ送受信手段から前記検証対象物の特徴データを取得し、前記著作物データベースに格納された前記著作物の画像データと前記検証対象物の特徴データとを照合することによって前記検証対象物に該当する前記著作物を検索する著作物検索手段と、
前記登録情報データベースを参照し、前記ユーザ識別子に対応する前記登録情報を検索する登録情報検索手段と、
前記著作物検索手段によって検索された前記著作物の検索結果と、前記登録情報検索手段によって検索された前記登録情報の検索結果とに基づいて前記ユーザによる前記著作物の著作権使用料の支払の有無を検証する検索結果検証手段と、
前記検索結果検証手段による検証結果に基づいて支払処理を実行する使用料支払手段とを有する請求項１または２に記載の著作物提供システム。
【請求項４】
著作物使用側の管理下に、カメラ、前記画像分析装置、および前記表示装置が配置され、
著作物提供側の管理下に、前記著作物データベース、前記登録情報データベース、および前記著作物管理装置が配置され、
前記カメラは、
前記ユーザの操作に応じて前記検証対象物を撮影し、撮影した前記検証対象物の画像データを前記ユーザの前記ユーザ識別子に関連付けて前記著作物管理装置に送信し、
前記画像分析装置は、
前記ユーザ識別子に関連付けられた前記検証対象物の画像データを前記カメラから受信し、受信した前記検証対象物の画像データから生成した前記検証対象物の特徴データを前記ユーザ識別子に関連付けて前記著作物管理装置に送信し、
前記著作物管理装置は、
前記ユーザ識別子に関連付けられた前記検証対象物の特徴データを前記画像分析装置から受信し、受信した前記検証対象物の特徴データに基づいて検出された前記著作物の画像データを前記画像分析装置に送信し、
前記画像分析装置は、
前記検証対象物に該当する前記著作物の画像データを前記著作物管理装置から受信し、受信した前記著作物の画像データを前記表示装置に転送し、
前記表示装置は、
前記著作物の画像データを前記画像分析装置から受信し、受信した前記著作物の画像データを表示する請求項１乃至３のいずれか一項に記載の著作物提供システム。
【請求項５】
著作物使用側の管理下に、カメラ、送受信装置、および前記表示装置が配置され、
著作物提供側の管理下に、前記画像分析装置、前記著作物データベース、前記登録情報データベース、および前記著作物管理装置が配置され、
前記カメラは、
前記ユーザの操作に応じて前記検証対象物を撮影し、撮影した前記検証対象物の画像データを前記ユーザの前記ユーザ識別子に関連付けて前記送受信装置に送信し、
前記送受信装置は、
前記ユーザ識別子に関連付けられた前記検証対象物の画像データを前記カメラから受信し、受信した前記検証対象物の画像データを前記画像分析装置に送信し、
前記画像分析装置は、
前記ユーザ識別子に関連付けられた前記検証対象物の画像データを前記送受信装置から受信し、受信した前記検証対象物の画像データから生成した前記検証対象物の特徴データを前記ユーザ識別子に関連付けて前記著作物管理装置に送信し、
前記著作物管理装置は、
前記ユーザ識別子に関連付けられた前記検証対象物の特徴データを前記画像分析装置から受信し、受信した前記検証対象物の特徴データに基づいて検出された前記著作物の画像データを前記画像分析装置に送信し、
前記画像分析装置は、
前記検証対象物に該当する前記著作物の画像データを前記著作物管理装置から受信し、受信した前記著作物の画像データを前記送受信装置に転送し、
前記送受信装置は、
前記検証対象物に該当する前記著作物の画像データを前記画像分析装置から受信し、受信した前記著作物の画像データを前記表示装置に転送し、
前記表示装置は、
前記著作物の画像データを前記送受信装置から受信し、受信した前記著作物の画像データを表示する請求項１乃至３のいずれか一項に記載の著作物提供システム。
【請求項６】
著作物使用側の管理下に、カメラ、送受信装置、前記表示装置、使用側著作物データベース、前記登録情報データベース、前記画像分析装置、および前記著作物管理装置が配置され、
著作物提供側の管理下に、前記著作物データベースが配置され、
前記使用側著作物データベースには、
前記著作物データベースに格納された前記著作物の少なくとも一部が格納され、
前記カメラは、
前記ユーザの操作に応じて前記検証対象物を撮影し、撮影した前記検証対象物の画像データを前記ユーザの前記ユーザ識別子に関連付けて送信し、
前記送受信装置は、
前記ユーザ識別子に関連付けられた前記検証対象物の画像データを前記カメラから受信し、受信した前記検証対象物の画像データを前記画像分析装置に送信し、
前記画像分析装置は、
前記ユーザ識別子に関連付けられた前記検証対象物の画像データを前記送受信装置から受信し、受信した前記検証対象物の画像データから生成した前記検証対象物の特徴データを前記ユーザ識別子に関連付けて前記著作物管理装置に送信し、
前記著作物管理装置は、
前記ユーザ識別子に関連付けられた前記検証対象物の特徴データを前記画像分析装置から受信し、受信した前記検証対象物の特徴データに基づいて検出された前記著作物の画像データを前記画像分析装置に送信し、
前記画像分析装置は、
前記検証対象物に該当する前記著作物の画像データを前記著作物管理装置から受信し、受信した前記著作物の画像データを前記送受信装置に転送し、
前記送受信装置は、
前記検証対象物に該当する前記著作物の画像データを前記画像分析装置から受信し、受信した前記著作物の画像データを前記表示装置に転送し、
前記表示装置は、
前記著作物の画像データを前記送受信装置から受信し、受信した前記著作物の画像データを表示する請求項１乃至３のいずれか一項に記載の著作物提供システム。
【請求項７】
前記著作物提供側の管理下に、前記著作物管理装置による前記著作物の著作権使用料の支払処理による課金を受け付ける課金システムが配置される請求項４乃至６のいずれか一項に記載の著作物提供システム。
【請求項８】
使用料回収側の管理下に、前記著作物管理装置による前記著作物の著作権使用料の支払処理による課金を受け付ける課金システムが配置される請求項４乃至６のいずれか一項に記載の著作物提供システム。
【請求項９】
ユーザ識別子に関連付けられた検証対象物の画像データを受信し、
受信した前記検証対象物の画像データから特徴データを生成し、
著作物データベースに格納された著作物の画像データと前記検証対象物の特徴データとを照合することによって前記検証対象物に該当する前記著作物を検索し、
前記検証対象物に該当する前記著作物が検出された場合、登録情報データベースに格納された前記ユーザ識別子に対応する登録情報に基づき、前記ユーザ識別子で識別されるユーザによる前記著作物の使用条件に応じて、前記検証対象物に該当する前記著作物の画像データを前記ユーザによって視認される表示装置に送信する著作物提供方法。
【請求項１０】
ユーザ識別子に関連付けられた検証対象物の画像データを受信する処理と、
受信した前記検証対象物の画像データから特徴データを生成する処理と、
著作物データベースに格納された著作物の画像データと前記検証対象物の特徴データとを照合することによって前記検証対象物に該当する前記著作物を検索する処理と、
前記検証対象物に該当する前記著作物が検出された場合、登録情報データベースに格納された前記ユーザ識別子に対応する登録情報に基づき、前記ユーザ識別子で識別されるユーザによる前記著作物の使用条件に応じて、前記検証対象物に該当する前記著作物の画像データを前記ユーザによって視認される表示装置に送信する処理とをコンピュータに実行させるプログラム。
【発明の詳細な説明】
【技術分野】
【０００１】
本発明は、著作物を提供する著作物提供システム、著作物提供方法、およびプログラムに関する。
【背景技術】
【０００２】
楽譜や書物などの著作物の使用に関しては、著作物の使用や著作権使用料の支払などにおいて、著作物を使用する側のニーズと、著作物を提供する側のニーズとのすり合わせが十分に機能していない場面がある。
【０００３】
例えば、オーケストラや吹奏楽団などの音楽団体は、紙媒体に印刷された楽譜を保管し、それらの楽譜の楽曲を演奏する際には楽譜のコピーをとって使用することがある。そのような音楽団体では、楽譜の整理に苦慮する場面がある。例えば、楽譜が大量に保管されている場合、大量の楽譜の中から目的の楽譜を探し出すのには時間が掛かる。また、楽譜のページが抜け落ちていたり、一部のパートの譜面が紛失していたり、楽譜への書き込みがされていたり、楽譜が破損していたりすることもある。一方で、著作物を提供する団体や業者は、販売後の楽譜がユーザ環境でコピーされて使用されていたり、演奏に使用されていたりするにもかかわらず、著作権使用料の回収を管理しきれていない場合がある。そのため、楽譜を使用する側のニーズと、楽譜を提供する側のニーズとをすりわせて、双方にとって益となるように楽譜を有効活用するためのソリューションが求められる。
【０００４】
特許文献１には、楽譜情報の配信、および当該情報の使用に応じた課金を連動させる配信システムについて開示されている。特許文献１のシステムは、楽譜使用者であるクライアントに関する登録情報と、当該クライアントが楽譜情報を使用する際の条件情報とをホストサーバに登録する。特許文献１のシステムは、楽譜情報を使用可能にするためのキーファイル入力をクライアントサーバに提示し、クライアントサーバからのキーファイル入力に同期してクライアントへ課金を発生させる。特許文献１のシステムは、課金の確認と同時に、ホストサーバからクライアントサーバへ楽譜情報を送信する。クライアントサーバに送信された楽譜情報は、楽譜使用者が使用する表示媒体に送信され、読解可能な形式でその表示媒体に表示される。特許文献１のシステムは、デジタル楽譜と著作権保護のための解除キーとを楽譜メーカからユーザが購入し、そのユーザの所有するデジタルデバイスにデジタル楽譜を表示するソリューションを提供する。
【０００５】
特許文献２には、楽曲情報から抽出される演奏用データを利用できる電子音楽システムについて開示されている。特許文献２のシステムは、楽曲情報から演奏用データを抽出し、暗号化鍵を用いて演奏用データを暗号化し、暗号化された演奏用データを記憶する。特許文献２のシステムは、記憶されている暗号化された演奏用データを、暗号化鍵に対応した復号化鍵を用いて復号化し、復号化された演奏用データに基づいて、提供された楽曲情報を自動演奏する。特許文献２のシステムは、既に購入された紙の楽譜を読み取ってＭＩＤＩ（Musical Instrument Digital Interface）データ化し、楽譜の表示やデジタル演奏をするソリューションを提供する。
【０００６】
特許文献３には、楽曲検索を実行するコンピュータ方法について開示されている。特許文献３の方法では、楽曲構成要素を指定する楽曲クエリによって指定された楽曲構成要素に基づいて検索パラメータの組を生成し、複数のデータ記録を含むデータベースに対して該検索パラメータの組を送信する。そして、特許文献３の方法では、該検索パラメータの組に基づいて、該データベースにおいて楽曲作品の組を同定し、順位付けリストに並べられている該一致した楽曲作品を含む検索出力を生成する。
【先行技術文献】
【特許文献】
【０００７】
【特許文献１】特開２００７−１３３４９０号公報
【特許文献２】特開２００４−１１７４８７号公報
【特許文献３】特表２０１０−５２１０２１号公報
【発明の概要】
【発明が解決しようとする課題】
【０００８】
特許文献１のシステムは、楽譜メーカからデジタル楽譜を購入する際に、クライアントサーバとユーザ情報をホストサーバに送付することで、楽譜データを表示するための解除キーを入手する。そのため、特許文献１のシステムによれば、楽譜の不正コピーや、楽譜代の支払、著作権使用料の支払が確実になる。しかしながら、特許文献１には、著作物の使用者の所持する楽譜を簡略に管理することについては開示されていない。
【０００９】
特許文献２のシステムによれば、楽曲情報から抽出される演奏用データを著作権上安全な状態で使用することができる。しかしながら、特許文献２には、著作権を保護された状態で画像データの楽譜を提供するための仕組みについては開示されていない。
【００１０】
特許文献３には、検索ポータルを介してオーディオまたは楽譜出力を購入する際に著作権使用料を支払うことについて記載されている。しかしながら、特許文献３には、著作権を保護された状態で画像データの楽譜を提供するための仕組みについては記載されていない。
【００１１】
本発明の目的は、上述した課題を解決し、著作権を補償した状態で著作物を簡易に使用できるようにした著作物提供システム等を提供することにある。
【課題を解決するための手段】
【００１２】
本発明の一態様の著作物提供システムは、ユーザ識別子に関連付けられた検証対象物の画像データを受信し、受信した検証対象物の画像データから特徴データを生成し、生成した検証対象物の特徴データをユーザ識別子に関連付けて送信する画像分析装置と、著作物の画像データが格納される著作物データベースと、ユーザ識別子に対応する登録情報が格納される登録情報データベースと、ユーザ識別子に関連付けられた検証対象物の特徴データを受信し、著作物データベースに格納された著作物の画像データと検証対象物の特徴データとを照合することによって検証対象物に該当する著作物を検索する著作物管理装置とを備える。著作物管理装置は、検証対象物に該当する著作物が検出された場合、登録情報データベースに格納された登録情報に基づき、ユーザ識別子で識別されるユーザによる著作物の使用条件に応じて、検証対象物に該当する著作物を画像分析装置に送信する。画像分析装置は、著作物管理装置から受信した検証対象物に該当する著作物をユーザによって視認される表示装置に転送する。
【００１３】
本発明の一態様の著作物提供方法においては、ユーザ識別子に関連付けられた検証対象物の画像データを受信し、受信した検証対象物の画像データから特徴データを生成し、著作物データベースに格納された著作物の画像データと検証対象物の特徴データとを照合することによって検証対象物に該当する著作物を検索し、検証対象物に該当する著作物が検出された場合、登録情報データベースに格納されたユーザ識別子に対応する登録情報に基づき、ユーザ識別子で識別されるユーザによる著作物の使用条件に応じて、検証対象物に該当する著作物の画像データをユーザによって視認される表示装置に送信する。
【００１４】
本発明の一態様のプログラムは、ユーザ識別子に関連付けられた検証対象物の画像データを受信する処理と、受信した検証対象物の画像データから特徴データを生成する処理と、著作物データベースに格納された著作物の画像データと検証対象物の特徴データとを照合することによって検証対象物に該当する著作物を検索する処理と、検証対象物に該当する著作物が検出された場合、登録情報データベースに格納されたユーザ識別子に対応する登録情報に基づき、ユーザ識別子で識別されるユーザによる著作物の使用条件に応じて、検証対象物に該当する著作物の画像データをユーザによって視認される表示装置に送信する処理とをコンピュータに実行させる。
【発明の効果】
【００１５】
本発明によれば、著作権を補償した状態で著作物を簡易に使用できるようにした著作物提供システム等を提供することが可能になる。
【図面の簡単な説明】
【００１６】
【図１】本発明の第１の実施形態に係る著作物提供システムの構成の一例を示すブロック図である。
【図２】本発明の第１の実施形態に係る著作物提供システムの画像分析装置の構成の一例を示すブロック図である。
【図３】本発明の第１の実施形態に係る著作物提供システムの著作物管理装置の構成の一例を示すブロック図である。
【図４】本発明の第１の実施形態に係る著作物提供システムに画像データを送信するカメラの動作の一例を示すフローチャートである。
【図５】本発明の第１の実施形態に係る著作物提供システムの画像分析装置の動作の一例を示すフローチャートである。
【図６】本発明の第１の実施形態に係る著作物提供システムの著作物管理装置の動作の一例を示すフローチャートである。
【図７】本発明の第１の実施形態に係る著作物提供システムから著作権使用料の支払を受ける課金システムの動作の一例を示すフローチャートである。
【図８】本発明の第１の実施形態に係る著作物提供システムから受信する著作物の画像データを表示する表示装置の動作の一例を示すフローチャートである。
【図９】本発明の第１の実施形態に係る著作物提供システム、カメラ、課金システム、および表示装置の動作の関係の一例を示すシークエンス図である。
【図１０】関連技術における著作物の使用について説明するための概念図である。
【図１１】本発明の第１の実施形態に係る著作物提供システムにおける著作物の使用について説明するための概念図である。
【図１２】本発明の第２の実施形態に係る著作物提供システムの構成の一例を示すブロック図である。
【図１３】本発明の第２の実施形態に係る著作物提供システムの適用例を示す概念図である。
【図１４】本発明の第３の実施形態に係る著作物提供システムの構成の一例を示すブロック図である。
【図１５】本発明の第３の実施形態に係る著作物提供システムの適用例を示す概念図である。
【図１６】本発明の第４の実施形態に係る著作物提供システムの構成の一例を示すブロック図である。
【図１７】本発明の第４の実施形態に係る著作物提供システムの適用例を示す概念図である。
【図１８】本発明の第５の実施形態に係る著作物提供システムの構成の一例を示すブロック図である。
【図１９】本発明の第５の実施形態に係る著作物提供システムの適用例を示す概念図である。
【図２０】本発明の各実施形態に係る著作物提供システムを実現するためのハードウェアの一例を示すブロック図である。
【発明を実施するための形態】
【００１７】
以下に、本発明を実施するための形態について図面を用いて説明する。ただし、以下に述べる実施形態には、本発明を実施するために技術的に好ましい限定がされているが、発明の範囲を以下に限定するものではない。なお、以下の実施形態の説明に用いる全図においては、特に理由がない限り、同様箇所には同一符号を付す。また、以下の実施形態において、同様の構成や動作に関しては繰り返しの説明を省略する場合がある。
【００１８】
（第１の実施形態）
まず、本発明の第１の実施形態に係る著作物提供システムについて図面を参照しながら説明する。本実施形態の著作物提供システムは、カメラによって撮影された楽譜や文書などの著作物（以下、検証対象物とも呼ぶ）の少なくとも一部の画像データに基づいて、その検証対象物が著作権使用料の支払対象であるか検証する。本実施形態の著作物提供システムは、検証対象物が著作権使用料の支払対象である場合、その著作物を使用者（以下、ユーザとも呼ぶ）にとって著作権上安全な状態で提供する。
【００１９】
（構成）
図１は、本実施形態の著作物提供システム１０の構成の一例を示すブロック図である。図１のように、著作物提供システム１０は、カメラ１２０、表示装置１３０、および課金システム１６０に接続される。著作物提供システム１０は、カメラ１２０、表示装置１３０、および課金システム１６０に無線接続されてもよいし、有線接続されてもよい。以下においては、著作物提供システム１０やカメラ１２０、表示装置１３０を異なる装置に構成する例を示すが、著作物提供システム１０の機能の一部をカメラ１２０や表示装置１３０と同一の装置に構成してもよい。
【００２０】
カメラ１２０は、著作物提供システム１０に接続される。カメラ１２０は、ユーザが使用する著作物（検証対象物とも呼ぶ）を撮影するのに用いられる。カメラ１２０は、撮影した画像データを送信可能なデジタルカメラによって実現できる。また、カメラ１２０は、スマートフォンや携帯電話、タブレット、ノート型パーソナルコンピュータに備え付けられたカメラによって実現されてもよい。なお、カメラ１２０は、撮影した画像データを著作物提供システム１０に送信することさえできれば、その形態に限定を加えない。
【００２１】
例えば、カメラ１２０には、ユーザの操作に応じて撮影された検証対象物の画像データをユーザ識別子に関連付けて著作物提供システム１０に送信するためのアプリケーションがインストールされる。ユーザ識別子は、ユーザの登録情報を特定するための識別子である。また、検証対象物に該当する著作物の使用枚数や使用期間などの使用情報を入力する機能をカメラ１２０に設け、検証対象物の画像データに関連付けてその使用情報を著作物提供システム１０に送信するように構成してもよい。
【００２２】
カメラ１２０は、撮影した検証対象物の画像データを著作物提供システム１０に送信する。例えば、カメラ１２０は、無線ＬＡＮ（Local Area Network）やＷｉ−Ｆｉ（登録商標）、Ｂｌｕｅｔｏｏｔｈ（登録商標）などの無線通信によって著作物提供システム１０に接続される。カメラ１２０は、検証対象物の画像データを著作物提供システム１０に送信する際に、ユーザ識別子や使用情報を関連付けて送信する。以下においては、カメラ１２０が送信する検証対象物の画像データには、少なくともユーザ識別子が関連付けられているものとする。
【００２３】
著作物提供システム１０は、画像分析装置１１、著作物ＤＢ１２、登録情報ＤＢ１３、および著作物管理装置１５を有する（ＤＢ：Database）。著作物提供システム１０の構成要素は、互いに同じサーバや端末などの装置に集中して配置されてもよいし、異なる装置に分散して配置されてもよい。著作物提供システム１０は、カメラ１２０によって撮影された検証対象物の少なくとも一部の画像データに基づいて、その検証対象物が著作権使用料の支払対象であるか検証する。著作物提供システム１０は、検証対象物が著作権使用料の支払対象である場合、その検証対象物に該当する著作物を表示装置１３０に送信する。例えば、著作物提供システム１０は、著作物の複製や販売を許諾された業者（著作物販売業者とも呼ぶ）によって使用される。
【００２４】
画像分析装置１１は、カメラ１２０、表示装置１３０、および著作物管理装置１５に接続される。例えば、画像分析装置１１は、無線ＬＡＮやＷｉ−Ｆｉ、Ｂｌｕｅｔｏｏｔｈなどの無線通信によってカメラ１２０に接続される。例えば、著作物管理装置１５が同じコンピュータやサーバに構成される場合、画像分析装置１１は、ケーブルや導線によって著作物管理装置１５に接続される。例えば、著作物管理装置１５が異なるサーバに構成される場合、画像分析装置１１は、インターネットやイントラネットなどのネットワークを介して著作物管理装置１５に接続される。例えば、著作物管理装置１５が異なるサーバに構成される場合、画像分析装置１１は、モバイルルーターの機能を有するサーバに構成すればよい。また、画像分析装置１１は、カメラ１２０や表示装置１３０と同一の端末装置に構成されてもよい。
【００２５】
画像分析装置１１は、検証対象物の画像データをカメラ１２０から受信する。画像分析装置１１は、受信された検証対象物の画像データから特徴を抽出し、抽出した特徴に基づいて特徴データを生成する。画像分析装置１１は、生成された特徴データをユーザ識別子に関連付けて著作物管理装置１５に送信する。なお、著作物管理装置１５によって、検証対象物の画像データを著作物ＤＢ１２に格納された著作物の画像データと照合するように構成する場合、画像分析装置１１は、検証対象物の特徴データの代わりに画像データを著作物管理装置１５に転送してもよい。
【００２６】
著作物ＤＢ１２は、著作物管理装置１５に接続される。著作物ＤＢ１２には、著作物の画像データが格納される。例えば、著作物ＤＢ１２には、著作権使用料の支払対象であるか否かを示すフラグや著作権使用料などの付随情報が著作物の画像データに関連付けて格納される。例えば、著作物ＤＢ１２は、検索機能サービスによって利用できるようにクラウドサーバ上に構成される。例えば、著作物管理装置１５が同じサーバに構成される場合、著作物ＤＢ１２は、ケーブルや導線によって著作物管理装置１５に接続される。例えば、著作物管理装置１５が異なるサーバに構成される場合、著作物ＤＢ１２は、インターネットやイントラネットなどのネットワークを介して著作物管理装置１５に接続される。
【００２７】
登録情報ＤＢ１３は、著作物管理装置１５に接続される。登録情報ＤＢ１３には、ユーザ識別子に関連付けられて、ユーザの登録情報が格納される。例えば、登録情報ＤＢ１３は、検索機能サービスによって利用できるようにクラウドサーバ上に構成される。例えば、著作物管理装置１５が同じサーバに構成される場合、登録情報ＤＢ１３は、ケーブルや導線によって著作物管理装置１５に接続される。例えば、著作物管理装置１５が異なるサーバに構成される場合、登録情報ＤＢ１３は、インターネットやイントラネットなどのネットワークを介して著作物管理装置１５に接続される。
【００２８】
著作物管理装置１５は、画像分析装置１１、著作物ＤＢ１２、登録情報ＤＢ１３、および課金システム１６０に接続される。例えば、著作物管理装置１５は、画像分析装置１１や著作物ＤＢ１２、登録情報ＤＢ１３、課金システム１６０と同じサーバ上に構成される。例えば、画像分析装置１１や著作物ＤＢ１２、登録情報ＤＢ１３、課金システム１６０と同じサーバに構成される場合、著作物管理装置１５は、ケーブルや導線によってそれらに接続される。例えば、画像分析装置１１や著作物ＤＢ１２、登録情報ＤＢ１３、課金システム１６０とは異なるサーバに構成される場合、著作物管理装置１５は、インターネットやイントラネットなどのネットワークを介してそれらに接続される。
【００２９】
著作物管理装置１５は、検証対象物の画像データから生成された特徴データを画像分析装置１１から受信する。著作物管理装置１５は、特徴データを受信すると、著作物ＤＢ１２を検索し、著作物ＤＢ１２に格納された著作物の画像データと、受信された特徴データとを照合する。例えば、著作物管理装置１５は、画像マッチングやパターンマッチングなどの手法を用いて、著作物の画像データと、検証対象物の画像データから生成された特徴データとの照合を行うアプリケーションや専用回路によって実現される。なお、著作物管理装置１５は、ＦＰＧＡ（Field-Programmable Gate Array）に構成される構成回路によって実現されてもよい。
【００３０】
著作物管理装置１５は、検証対象物の画像データから生成された特徴データと照合する著作物の画像データが検出された場合、その著作物が著作権使用料の課金対象であるか検証する。検出された著作物が著作権使用料の課金対象である場合、著作物管理装置１５は、登録情報ＤＢ１３を参照し、著作権使用料の支払処理を行う。著作権使用料の支払処理において、著作物管理装置１５は、登録情報ＤＢ１３に予め登録されたユーザ識別子に基づいて、そのユーザに著作権使用料の支払要求を行う。著作物管理装置１５は、著作権使用料の支払要求に応じたユーザによる課金結果に基づいて、課金システム１６０に対して著作権使用料の支払を行う。また、ユーザのカメラ１２０から受信した検証対象物の画像データに基づいて課金対象の著作物が検出された際に、著作物提供システム１０が課金システム１６０に対して著作権使用料の支払を自動的に行うように構成してもよい。
【００３１】
また、著作物管理装置１５は、検証対象物の画像データから生成された特徴データと照合する著作物が検出された場合、その著作物の画像データをユーザに提供可能であるか検証する。著作物の画像データをユーザに提供可能である場合、著作物管理装置１５は、その著作物の画像データの一部または全部を著作物ＤＢ１２から抽出し、抽出された著作物の画像データを画像分析装置１１に送信する。画像分析装置１１に送信された著作物の画像データは、画像分析装置１１から表示装置１３０に転送される。
【００３２】
表示装置１３０は、著作物提供システム１０に接続される。例えば、表示装置１３０は、無線ＬＡＮやＷｉ−Ｆｉ、Ｂｌｕｅｔｏｏｔｈなどの無線通信によって著作物提供システムに接続される。表示装置１３０は、著作物の画像データを著作物提供システム１０から受信する。表示装置１３０は、受信した著作物の画像データを表示する。例えば、表示装置１３０は、デジタル画像を表示できるモニターによって実現できる。なお、図１においては別々の構成として図示しているが、カメラ１２０と表示装置１３０とを同一の端末装置に構成してもよい。また、表示装置１３０は、デジタルカメラやスマートフォン、携帯電話、タブレット、ノート型パーソナルコンピュータの表示機能によって実現してもよい。
【００３３】
例えば、著作物として楽譜を扱う場合、表示装置１３０は、譜面台の譜面の位置にモニターを有する装置として構成すればよい。例えば、表示装置１３０のモニターにタッチパネルの機能を併設し、モニター上におけるユーザの操作に応じてページをめくるように構成すれば、紙媒体の楽譜と同じ感覚で使用できるデジタル楽譜を実現できる。
【００３４】
例えば、著作物として文書を扱う場合、表示装置１３０は、スマートフォンやタブレットのような端末装置として構成すればよい。例えば、表示装置１３０のモニター上におけるユーザの操作に応じてページをめくるように構成すれば、紙媒体の本と同じ感覚で使用できるデジタル文書を実現できる。
【００３５】
また、著作物提供システム１０は、楽譜や文書以外の著作物を扱うように構成してもよい。例えば、著作物提供システム１０は、美術や建築、地図、図形、映画、写真、プログラムなどに関する著作物を扱うように構成してもよい。なお、著作物提供システム１０は、上記に例示した著作物に限定されず、カメラ１２０によって撮影された画像データに基づいて表示装置１３０に表示できる著作物であれば、任意の著作物に関して利用できる。
【００３６】
課金システム１６０は、著作物提供システム１０の著作物管理装置１５に接続される。課金システム１６０は、著作物管理装置１５と同じサーバ上に構成されてもよいし、異なるサーバ上に構成されてもよい。例えば、課金システム１６０は、著作物の著作権者に著作権使用料を支払う団体（著作権管理団体とも呼ぶ）によって使用される。課金システム１６０は、著作権使用料の支払要求に応じたユーザによる課金結果に基づいて支払われた著作権使用料を著作物提供システム１０の著作物管理装置１５から受け付ける。例えば、課金システム１６０は、回収された著作権使用料を著作権者に分配する。
【００３７】
以上が、著作物提供システム１０、カメラ１２０、表示装置１３０、および課金システム１６０の構成についての説明である。なお、図１の構成は一例であって、本実施形態の著作物提供システム１０、カメラ１２０、表示装置１３０、および課金システム１６０の構成をそのままの形態に限定するものではない。
【００３８】
〔画像分析装置〕
次に、画像分析装置１１の構成について図面を参照しながら説明する。図２は、画像分析装置１１の構成の一例を示すブロック図である。図２のように、画像分析装置１１は、画像データ送受信部１１１、特徴データ生成部１１２、およびデータ送受信部１１３を有する。画像データ送受信部１１１、特徴データ生成部１１２、およびデータ送受信部１１３は、サーバやコンピュータにインストールされたアプリケーションや、専用回路を有する装置によって実現される。また、画像データ送受信部１１１、特徴データ生成部１１２、およびデータ送受信部１１３は、ＦＰＧＡに構成される構成回路によって実現されてもよい。
【００３９】
画像データ送受信部１１１は、カメラ１２０、表示装置１３０、特徴データ生成部１１２、およびデータ送受信部１１３に接続される。画像データ送受信部１１１は、検証対象物の画像データをカメラ１２０から受信する。画像データ送受信部１１１は、受信した検証対象物の画像データを特徴データ生成部１１２に出力する。また、検証対象物の画像データを用いて、著作物ＤＢ１２に格納された著作物の画像データと照合するように構成する場合、検証対象物の画像データを画像データ送受信部１１１からデータ送受信部１１３に転送する。
【００４０】
また、画像データ送受信部１１１は、検証対象物に該当する著作物の画像データをデータ送受信部１１３から取得する。画像データ送受信部１１１は、取得した著作物の画像データを表示装置１３０に送信する。
【００４１】
特徴データ生成部１１２は、画像データ送受信部１１１およびデータ送受信部１１３に接続される。特徴データ生成部１１２は、検証対象物の画像データを画像データ送受信部１１１から取得する。特徴データ生成部１１２は、取得した検証対象物の画像データから特徴を抽出して特徴データを生成する。例えば、特徴データ生成部１１２は、検証対象物の画像データから特徴点を抽出し、抽出した特徴点を含む特徴データを生成する。特徴データ生成部１１２は、生成した検証対象物の特徴データをデータ送受信部１１３に出力する。
【００４２】
データ送受信部１１３は、画像データ送受信部１１１、特徴データ生成部１１２、および著作物管理装置１５に接続される。データ送受信部１１３は、検証対象物の特徴データを特徴データ生成部１１２から取得する。データ送受信部１１３は、検証対象物の画像データの送信元のユーザ識別子を含めて、その検証対象物の画像データから生成された特徴データを著作物管理装置１５に送信する。
【００４３】
また、データ送受信部１１３は、著作物の画像データを著作物管理装置１５から受信する。データ送受信部１１３は、受信した著作物の画像データを画像データ送受信部１１１に転送する。
【００４４】
以上が、画像分析装置１１の構成についての説明である。なお、図２の構成は一例であって、本実施形態の画像分析装置１１の構成をそのままの形態に限定するものではない。
【００４５】
〔著作物管理装置〕
次に、著作物管理装置１５の構成について図面を参照しながら説明する。図３は、著作物管理装置１５の構成の一例を示すブロック図である。図３のように、著作物管理装置１５は、データ送受信部１５１、著作物検索部１５２、登録情報検索部１５３、検索結果検証部１５５、および使用料支払部１５７を有する。データ送受信部１５１、著作物検索部１５２、登録情報検索部１５３、検索結果検証部１５５、および使用料支払部１５７は、サーバやコンピュータにインストールされたアプリケーションや、専用回路を有する装置によって実現される。また、データ送受信部１５１、著作物検索部１５２、登録情報検索部１５３、検索結果検証部１５５、および使用料支払部１５７は、ＦＰＧＡに構成される構成回路によって実現されてもよい。
【００４６】
データ送受信部１５１は、画像分析装置１１、著作物検索部１５２、登録情報検索部１５３、および検索結果検証部１５５に接続される。データ送受信部１５１は、画像分析装置１１から検証対象物の特徴データを受信する。データ送受信部１５１は、検証対象物の特徴データを著作物検索部１５２に出力し、検証対象物の画像データの送信元のユーザ識別子を登録情報検索部１５３に出力する。
【００４７】
また、データ送受信部１５１は、検証対象物に該当する著作物の画像データを検索結果検証部１５５から取得する。データ送受信部１５１は、取得した著作物の画像データを画像分析装置１１に送信する。なお、著作物の画像データを画像分析装置１１に出力するタイミングは、ユーザ、著作物販売業者、および著作権管理団体の間で取り決められた著作物の使用許諾契約等に基づいて設定されればよく、著作権使用料の支払の完了する前後のいずれであってもよい。
【００４８】
著作物検索部１５２は、データ送受信部１５１、検索結果検証部１５５、および著作物ＤＢ１２に接続される。著作物検索部１５２は、検証対象物の特徴データをデータ送受信部１５１から取得する。著作物検索部１５２は、検証対象物の特徴データを受信すると、著作物ＤＢ１２を検索し、著作物ＤＢ１２に格納された著作物の画像データと、受信された特徴データとを照合する。著作物検索部１５２は、特徴データと照合する著作物が検出された場合、検出された著作物の画像データを著作物ＤＢ１２から取得する。著作物検索部１５２は、著作物ＤＢ１２から取得した著作物の画像データを検索結果検証部１５５に出力する。例えば、著作権使用料の支払対象であるか否かを示すフラグや著作権使用料などの付随情報が著作物の画像データに関連付けて著作物ＤＢ１２に格納されている場合、著作物検索部１５２は、著作物の画像データに関連付けて付随情報を出力する。なお、特徴データと照合する著作物が検出されなかった場合については、特に限定を加えないが、検出されなかったことを示す検索結果を検索結果検証部１５５に出力するように構成してもよい。
【００４９】
登録情報検索部１５３は、データ送受信部１５１、検索結果検証部１５５、および登録情報ＤＢ１３に接続される。登録情報検索部１５３は、検証対象物の画像データの送信元のユーザ識別子をデータ送受信部１５１から取得する。登録情報検索部１５３は、検証対象物の画像データの送信元のユーザ識別子を取得すると、登録情報ＤＢ１３を検索し、登録情報ＤＢ１３に格納されたユーザの登録情報を取得する。例えば、登録情報検索部１５３は、ユーザの契約情報や、著作物の使用許諾範囲、支払情報、チャージ金額の残高などの登録情報を登録情報ＤＢ１３から取得する。登録情報検索部１５３は、取得したユーザの登録情報を検索結果検証部１５５に出力する。
【００５０】
検索結果検証部１５５は、データ送受信部１５１、著作物検索部１５２、登録情報検索部１５３、および使用料支払部１５７に接続される。検索結果検証部１５５は、検証対象物の画像データから生成された特徴データに基づいて著作物の画像データが検出された際に、その著作物の画像データを著作物検索部１５２から取得する。また、検索結果検証部１５５は、検証対象物の画像データの送信元のユーザの登録情報を登録情報検索部１５３から取得する。
【００５１】
検索結果検証部１５５は、検証対象物に該当する著作物の画像データを取得すると、その著作物が著作権使用料の支払対象であるか検証する。例えば、著作権使用料の支払対象であるか否かを示すフラグや著作権使用料などの付随情報を著作物の画像データに関連付けて著作物ＤＢ１２に格納しておけば、その付随情報に基づいて著作権使用料の支払対象であるか判定できる。
【００５２】
取得した著作物が著作権使用料の課金対象である場合、検索結果検証部１５５は、その著作物の付随データに基づいて著作権使用料を算出する。検索結果検証部１５５は、その著作物を使用するユーザのユーザ情報に関連付けて、算出した著作権使用料を使用料支払部１５７に出力する。このとき、検索結果検証部１５５は、著作権使用料の支払対象の著作物の画像データをデータ送受信部１５１に出力する。また、取得した著作物が著作権使用料の課金対象ではないがユーザに提供可能である場合、検索結果検証部１５５は、その著作物の画像データをデータ送受信部１５１に出力する。なお、特徴データと照合する著作物が検出されなかった場合、検索結果検証部１５５は、検出されなかったことを示す検索結果をデータ送受信部１５１に出力してもよい。
【００５３】
使用料支払部１５７は、検索結果検証部１５５および課金システム１６０に接続される。使用料支払部１５７は、著作物を使用するユーザのユーザ識別子と、そのユーザ識別子に関連付けられた著作権使用料とを検索結果検証部１５５から受信する。使用料支払部１５７は、予め設定された支払条件に基づいて、そのユーザ識別子で指定されるユーザから課金システム１６０への著作権使用料の支払処理（著作権支払処理とも呼ぶ）を実行する。例えば、使用料支払部１５７は、著作物のコピー枚数や、コピー回数、閲覧期間、閲覧時間、閲覧回数などに応じて著作権使用料を設定する。
【００５４】
なお、著作権支払処理は、著作物使用者（ユーザ）と著作物販売業者との間、著作物販売業者と著作権管理団体との間、著作物使用者（ユーザ）と著作権管理団体との間のいずれで行われるものであってもよい。また、著作権支払処理は、決済代行業者を介して行われてもよい。著作権支払処理は、著作物使用者（ユーザ）の使用する端末装置や、著作物販売業者や著作権管理団体（決済代行業者を含む）の使用するサーバの間におけるデータ処理によって実行される。
【００５５】
以上が、著作物管理装置１５の構成についての説明である。なお、図３の構成は一例であって、本実施形態の著作物管理装置１５の構成をそのままの形態に限定するものではない。
【００５６】
（動作）
次に、著作物提供システム１０（画像分析装置１１、著作物管理装置１５）、カメラ１２０、課金システム１６０、および表示装置１３０の動作について図面を参照しながら説明する。以下においては、カメラ１２０、画像分析装置１１、著作物管理装置１５、課金システム１６０、表示装置１３０の順番で説明する。
【００５７】
〔カメラ〕
図４は、カメラ１２０の動作について説明するためのフローチャートである。なお、図４に示すカメラ１２０の動作は、概略的な動作であって、カメラ１２０の動作をそのままの手順に限定するものではない。
【００５８】
図４において、まず、ユーザの操作に応じて、カメラ１２０にインストールされたアプリケーションが起動される（ステップＳ１１１）。
【００５９】
カメラ１２０は、ユーザの操作に応じて、検証対象物を撮影する（ステップＳ１１２）。このとき、カメラ１２０は、撮影した検証対象物の画像データを生成する。
【００６０】
そして、カメラ１２０は、撮影した検証対象物の画像データを著作物提供システム１０に送信する（ステップＳ１１３）。このとき、カメラ１２０は、撮影した検証対象物の画像データに関連付けてユーザ識別情報を著作物提供システム１０に送信する。なお、カメラ１２０は、撮影した検証対象物の画像データに関連付けて、その検証対象物に該当する著作物の使用情報を著作物提供システム１０に送信してもよい。
【００６１】
〔画像分析装置〕
図５は、画像分析装置１１の動作について説明するためのフローチャートである。なお、図５に示す画像分析装置１１の動作は、概略的な動作であって、画像分析装置１１の動作をそのままの手順に限定するものではない。
【００６２】
図５において、まず、画像分析装置１１は、検証対象物の画像データをカメラ１２０から受信する（ステップＳ１２１）。
【００６３】
次に、画像分析装置１１は、検証対象物の画像データから特徴を抽出する（ステップＳ１２２）。
【００６４】
次に、画像分析装置１１は、抽出した特徴から特徴データを生成する（ステップＳ１２３）。
【００６５】
そして、画像分析装置１１は、生成した特徴データを著作物管理装置１５に送信する（ステップＳ１２４）。
【００６６】
その後、画像分析装置１１は、検証対象物に該当する著作物の画像データを著作物管理装置１５から受信したか判定する（ステップＳ１２５）。画像分析装置１１が著作物の画像データを受信したか判定するタイミングは、著作物管理装置１５から何らかの応答を受信したタイミングであってもよいし、予め設定された所定のタイミングであってもよい。
【００６７】
検証対象物に該当する著作物の画像データを著作物管理装置１５から受信した場合（ステップＳ１２５でＹｅｓ）、画像分析装置１１は、著作物の画像データを表示装置１３０に送信する（ステップＳ１２６）。ステップＳ１２６の処理が終了した段階で、図５のフローチャートに沿った処理は終了である。一方、検証対象物に該当する著作物の画像データを画像分析装置１１が受信しなかった場合（ステップＳ１２５でＮｏ）、図５のフローチャートに沿った処理は終了である。
【００６８】
〔著作物管理装置〕
図６は、著作物管理装置１５の動作について説明するためのフローチャートである。なお、図６に示す著作物管理装置１５の動作は、概略的な動作であって、著作物管理装置１５の動作をそのままの手順に限定するものではない。
【００６９】
図６において、まず、著作物管理装置１５は、検証対象物の画像データに基づいて生成された特徴データを画像分析装置１１から受信する（ステップＳ１３１）。
【００７０】
ここで、著作物管理装置１５は、著作物ＤＢ１２を検索し、検証対象物の画像データに基づいて生成された特徴データに照合する著作物の画像データが検出されたか判定する（ステップＳ１３２）。
【００７１】
検証対象物の画像データに基づいて生成された特徴データに照合する著作物の画像データが検出された場合（ステップＳ１３２でＹｅｓ）、著作物管理装置１５は、検証対象物に該当する著作物が著作権使用料の課金対象か判定する（ステップＳ１３３）。一方、検証対象物の画像データに基づいて生成された特徴データに照合する著作物の画像データが検出されなかった場合（ステップＳ１３２でＮｏ）、ステップＳ１３５に進む。
【００７２】
検証対象物に該当する著作物が著作権使用料の課金対象である場合（ステップＳ１３３でＹｅｓ）、著作物管理装置１５は、著作権使用料の支払処理を実行する（ステップＳ１３４）。そして、著作物管理装置１５は、著作権使用料の支払処理が完了した著作物の画像データを画像分析装置１１に送信する（ステップＳ１３６）。ステップＳ１３６の処理が終了した段階で、図６のフローチャートに沿った処理は終了である。例えば、著作権使用料の支払処理において、著作物管理装置１５は、著作物の識別子と、その著作物の著作権使用料とを少なくとも関連付けた支払情報を課金システム１６０に送信する。
【００７３】
一方、検証対象物に該当する著作物が著作権使用料の課金対象でない場合（ステップＳ１３３でＮｏ）、著作物管理装置１５は、その検証対象物に該当する著作物の画像データを提供可能か判定する（ステップＳ１３５）。検証対象物に該当する著作物の画像データを提供可能な場合（ステップＳ１３５でＹｅｓ）、著作物管理装置１５は、その著作物の画像データを画像分析装置１１に送信する（ステップＳ１３６）。ステップＳ１３６の処理が終了した段階で、図６のフローチャートに沿った処理は終了である。一方、検証対象物に該当する著作物の画像データを提供可能ではない場合（ステップＳ１３５でＮｏ）、図６のフローチャートに沿った処理は終了である。
【００７４】
〔課金システム〕
図７は、課金システム１６０の動作について説明するためのフローチャートである。なお、図７に示す課金システム１６０の動作は、概略的な動作であって、課金システム１６０の動作をそのままの手順に限定するものではない。
【００７５】
図７において、まず、課金システム１６０は、著作権使用料の支払情報を画像分析装置１１から受信する（ステップＳ１４１）。
【００７６】
次に、課金システム１６０は、著作権使用料の支払情報に基づいて課金を実行する（ステップＳ１４２）。著作権使用料を支払う主体が著作権使用者（ユーザ）の場合、課金システム１６０は、著作権使用者（ユーザ）の口座から著作権使用料を引き落とすための処理を実行する。また、著作権使用料を支払う主体が著作物販売業者の場合、課金システム１６０は、著作物販売業者の口座から著作権使用料を引き落とすための処理を実行する。課金システム１６０による課金において、支払側から受取側への著作権使用料の支払は、前払いであってもよいし、即時決済であってもよいし、後払いであってもよい。
【００７７】
そして、課金システム１６０は、実行した課金結果を著作物管理装置１５に送信する（ステップＳ１４３）。なお、課金システム１６０による課金結果を著作権使用者（ユーザ）に送信してもよい。
【００７８】
〔表示装置〕
図８は、表示装置１３０の動作について説明するためのフローチャートである。なお、図８に示す表示装置１３０の動作は、概略的な動作であって、表示装置１３０の動作をそのままの手順に限定するものではない。
【００７９】
図８において、まず、表示装置１３０は、著作物の画像データを画像分析装置１１から受信する（ステップＳ１５１）。
【００８０】
そして、表示装置１３０は、受信した著作物の画像データを表示する（ステップＳ１５２）。例えば、表示装置１３０のモニターには、ユーザの操作に応じて、著作物の画像データに含まれる所望の画像が表示される。
【００８１】
〔まとめ〕
ここで、図４〜図８に示した著作物提供システム１０、カメラ１２０、課金システム１６０、および表示装置１３０の動作の関係をまとめたシークエンス図を示す（図９）。なお、図９のシークエンス図は、検証対象物に該当する著作物が著作物ＤＢ１２に格納されていた場合の例を示す。
【００８２】
図９のように、アプリケーションが起動された後、カメラ１２０は、ユーザの操作に応じて検証対象物を撮影する。カメラ１２０は、撮影された検証対象物の画像データ（検証対象物画像とも呼ぶ）を画像分析装置１１に送信する。
【００８３】
画像分析装置１１は、画像分析装置１１から検証対象物画像を受信する。画像分析装置１１は、受信した検証対象物画像から特徴を抽出して特徴データを生成する。画像分析装置１１は、生成した特徴データを著作物管理装置１５に送信する。
【００８４】
著作物管理装置１５は、画像分析装置１１から特徴データを受信する。著作物管理装置１５は、著作物ＤＢ１２を検索して特徴データを照合するとともに、登録情報ＤＢ１３を参照してユーザの登録情報を取得する。著作物管理装置１５は、検証対象物に該当する著作物を検出すると、その著作物の著作権使用料を課金システム１６０に支払う。そして、著作物管理装置１５は、検証対象物に該当する著作物の画像データ（著作物画像とも呼ぶ）を著作物ＤＢ１２から抽出し、その著作物画像を画像分析装置１１に送信する。
【００８５】
画像分析装置１１は、著作物管理装置１５から著作物画像を受信する。画像分析装置１１は、受信した著作物画像を表示装置１３０に転送する。
【００８６】
表示装置１３０は、画像分析装置１１から著作物画像を受信する。表示装置１３０は、受信した著作物画像をモニターに表示する。
【００８７】
以上が、著作物提供システム１０（画像分析装置１１、著作物管理装置１５）、カメラ１２０、課金システム１６０、および表示装置１３０の動作についての説明である。なお、図４〜図９に示す動作は一例であって、著作物提供システム１０、カメラ１２０、課金システム１６０、および表示装置１３０の動作をそのままの手順に限定するものではない。
【００８８】
〔関連技術との比較〕
ここで、関連技術と比較することによって、本実施形態の著作物提供システム１０によって得られる効果について図面を参照しながら説明する。以下においては、ある音楽団体が楽曲を演奏する際に、音楽団体の構成員の各々に対してその楽曲の楽譜を配布する例について説明する。
【００８９】
図１０は、関連技術における楽譜１２１の使用に関する概念図である。図１０は、音楽団体の構成員の各々に対して所望の楽曲の楽譜１２１を提供するために、音楽団体が所有する楽譜１２１を人数分だけコピー機１７０でコピーする例である。一般に、音楽団体は、多くの楽曲を演奏するために多くの楽譜１２１を所有する。そのため、関連技術においては、多くの楽譜１２１の中から所望の楽譜１２１を選び出すため作業や時間が必要である。また、音楽団体が所有する楽譜１２１には、それまでの使用状況に応じて、破損や汚れ、欠落が発生している場合もある。そのような場合、コピー機１７０でコピーされた楽譜１２１のコピー１２２には、破損や汚れ、欠落の影響が何らかの形態で残存する可能性がある。また、大量の楽譜１２１をコピー機１７０でコピーする際には、コピー枚数に応じた多額のコピー代が発生してしまう。
【００９０】
図１１は、本実施形態における楽譜１２１の使用に関する概念図である。図１１は、音楽団体の構成員の各々に対して所望の楽曲の楽譜１２１を提供するために、音楽団体が所有する所望の楽譜１２１の一部の画像データに基づいて所望の楽譜１２１を検索する例である。著作物提供システム１０は、所望の楽譜１２１の一部の画像データから抽出される特徴に基づいて、所望の楽譜１２１の全ての画像データ１３１を表示装置１３０に送信する。音楽団体の構成員の各々は、表示装置１３０のモニターに表示される所望の楽譜１２１を閲覧することによって所望の楽曲を演奏できる。また、著作物提供システム１０は、所望の楽譜１２１の一部の画像データに基づいて、所望の楽譜１２１の全てを提供できるため、音楽団体側における楽譜１２１の保管スペースや、楽譜１２１を探す時間を削減できる。また、本実施形態によれば、楽譜１２１を紙媒体で提供する必要がなくなるため、コピー代を大幅に削減できる。
【００９１】
図１０のような関連技術では、楽譜１２１をコピー機１７０でコピーした際に、コピーした枚数等に応じた著作権使用料を支払う必要がある。しかしながら、関連技術では、著作権使用料の支払側である音楽団体からの自己申告に基づいて著作権使用料が支払われるため、著作権者に対して支払われるべき著作権使用料が実際に支払われたか否かを確認することが困難である。
【００９２】
一方、本実施形態では、著作物提供システム１０から著作物を提供する際に、その著作物の使用に伴って著作権者に支払われるべき著作権使用料が確実に支払われるため、著作権者が著作権使用料を受け取ることがないといった事象を低減できる。また、著作物使用者にとっても、著作権使用料を支払うべき著作物を法的に安全に使用できる。
【００９３】
以上のように、本実施形態の著作物提供システムは、画像分析装置、著作物データベース、登録情報データベース、および著作物管理装置を備える。
【００９４】
画像分析装置は、ユーザ識別子に関連付けられた検証対象物の画像データを受信し、受信した検証対象物の画像データから特徴データを生成し、生成した検証対象物の特徴データをユーザ識別子に関連付けて送信する。また、画像分析装置は、著作物管理装置から受信した検証対象物に該当する著作物をユーザによって視認される表示装置に転送する。著作物データベースには、著作物の画像データが格納される。登録情報データベースには、ユーザ識別子に対応する登録情報が格納される。著作物管理装置は、ユーザ識別子に関連付けられた検証対象物の特徴データを受信し、著作物データベースに格納された著作物の画像データと検証対象物の特徴データとを照合することによって検証対象物に該当する著作物を検索する。また、著作物管理装置は、検証対象物に該当する著作物が検出された場合、登録情報データベースに格納された登録情報に基づき、ユーザ識別子で識別されるユーザによる著作物の使用条件に応じて、検証対象物に該当する著作物を画像分析装置に送信する。
【００９５】
本実施形態の一態様において、著作物管理装置は、検証対象物に該当する著作物が検出され、かつ著作物が著作権使用料の支払対象であった場合、登録情報データベースに格納された登録情報に基づき、ユーザによる著作物の著作権使用料の支払処理を実行する。そして、著作物管理装置は、検証対象物に該当する著作物を画像分析装置に送信する。
【００９６】
本実施形態の一態様において、著作物管理装置は、データ送受信部、著作物検索部、登録情報検索部、検索結果検証部、および使用料支払部を有する。データ送受信部は、ユーザ識別子に関連付けられた検証対象物の特徴データを受信し、検証対象物に該当する著作物を画像分析装置に送信する。著作物検索部は、データ送受信部から検証対象物の特徴データを取得し、著作物データベースに格納された著作物の画像データと検証対象物の特徴データとを照合することによって検証対象物に該当する著作物を検索する。登録情報検索部は、登録情報データベースを参照し、ユーザ識別子に対応する登録情報を検索する。検索結果検証部は、著作物検索部によって検索された著作物の検索結果と、登録情報検索部によって検索された登録情報の検索結果とに基づいてユーザによる著作物の著作権使用料の支払の有無を検証する。使用料支払部は、検索結果検証部による検証結果に基づいて支払処理を実行する。
【００９７】
以上のように、本実施形態によれば、著作物の使用者の所持する紙媒体の楽譜の管理を簡略化できる。また、本実施形態によれば、著作物の使用状況に基づいてその著作物の著作権使用料を著作物使用側から著作物提供側に支払うことができるとともに、その著作物の画像データを著作物提供側から著作物使用側に著作権上安全な状態で提供できる。すなわち、本実施形態によれば、著作権を補償した状態で著作物を簡易に使用できる。
【００９８】
一般に、楽譜に関する著作権使用料は、楽譜の出版社から著作権管理団体に支払われる。多くの場合、楽譜の購入者がその楽譜をコピーした際には、著作権使用料が著作権管理団体に支払われることはない。そのため、作曲者や編曲者の権利が守られず、またその対策もできない状況となっていた。それに対し、本実施形態によれば、以下のような効果が得られる。
【００９９】
第１に、著作物使用側において紙媒体の楽譜をコピーする場合であっても、楽譜の著作権使用料の適切な支払が可能になる。例えば、紙媒体の楽譜の画像データから抽出された特徴データと、楽譜データベースに格納された著作物の画像データとの照合を行い、照合結果に基づいてその楽譜の著作権使用料を支払うことができる。このとき、著作物提供側は、著作物使用側が楽譜を追加購入せずにデジタル化によりコピーを行った著作物使用側から適切に使用料を回収できる。例えば、著作物の画像データ１枚当たり、著作権使用料を３円、著作物提供側への使用料を３円課金するシステムを構築すれば、著作権使用側から著作物提供側や使用料回収側への料金の支払いが行われることによって不正コピーが防止される。この場合、著作物使用側にとっても、紙媒体の楽譜をコピーする場合には著作物１枚当たり１０円のコストが掛かっていたところ、著作物の画像データ１枚当たり６円で済むために経費の削減につながる。
【０１００】
第２に、紙媒体の楽譜をデジタル化することで、楽譜を探す時間を大幅に削減できるとともに、楽譜を置くスペースを削減することが可能になる。
【０１０１】
第３に、破損や汚れ、欠落などが楽譜に発生した場合であっても、楽譜をデジタル化することによって、データ修復されたきれいな楽譜を使用できる。例えば、ページの欠落がある楽譜であっても、著作物使用側から著作物提供側に追加料金を支払うことによって、欠落が補間された楽譜を著作物提供側から著作物使用側に提供するソリューションを実現できる。
【０１０２】
（第２の実施形態）
次に、本発明の第２の実施形態に係る著作物提供システムについて図面を参照しながら説明する。図１２は、本実施形態の著作物提供システムの構成について説明するためのブロック図である。本実施形態の著作物提供システムは、画像分析装置２１、著作物ＤＢ２２、登録情報ＤＢ２３、および著作物管理装置２５を備える。本実施形態の著作物提供システムは、著作物使用側と著作物提供側とに分散して配置される。なお、本実施形態の著作物提供システムの構成の各々は、第１の実施形態の著作物提供システム１０の対応する構成の各々と同様の機能を有するため、詳細な説明は省略する。
【０１０３】
著作物使用側には、本実施形態の著作物提供システムの画像分析装置２１に加えて、カメラ２２０および表示装置２３０が配置される。例えば、画像分析装置２１は、無線通信によって、カメラ２２０および表示装置２３０と接続されるアプリケーションサーバやコンピュータによって実現できる。画像分析装置２１は、インターネットやイントラネットなどのネットワーク２００を介して、著作物管理装置２５と接続される。
【０１０４】
著作物提供側には、著作物ＤＢ２２、登録情報ＤＢ２３、および著作物管理装置２５に加えて、課金システム２６０が配置される。例えば、著作物ＤＢ２２、登録情報ＤＢ２３、著作物管理装置２５、および課金システム２６０は、クラウドサーバに配置される。なお、著作物ＤＢ２２、登録情報ＤＢ２３、著作物管理装置２５、および課金システム２６０は、同一のサーバに配置されてもよいし、互いに異なるサーバに配置されてもよい。
【０１０５】
図１３は、本実施形態の著作物提供システムの適用例について説明するための概念図である。図１３の例では、カメラ２２０および表示装置２３０が、無線通信によって、画像分析装置２１を含む専用のアプリケーションサーバやコンピュータに接続される。カメラ２２０は、ユーザの操作に応じて検証対象物２２１を撮影すると、その検証対象物の画像データを画像分析装置２１に送信する。画像分析装置２１は、検証対象物の画像データから特徴データを生成する。画像分析装置２１は、ネットワーク２００を介して、検証対象物の画像データから生成された特徴データを著作物提供側に配置された著作物管理装置２５に送信する。例えば、画像分析装置２１は、図示しないサーバやコンピュータにインストールされたアプリケーションやツールによって実現される。
【０１０６】
著作物提供側に配置された著作物管理装置２５は、ネットワーク２００を介して、検証対象物の特徴データを画像分析装置２１から受信する。著作物管理装置２５は、著作物ＤＢ２２を検索し、著作物ＤＢ２２に格納された著作物の画像データと、受信した検証対象物の特徴データとを照合する。著作物管理装置２５は、検証対象物の特徴データと照合する著作物を検出すると、登録情報ＤＢ２３に登録されたユーザの登録情報に基づいて、その著作物を使用するための著作権使用料の支払処理を課金システム２６０に対して実行する。例えば、著作物管理装置２５は、複数の表示装置２３０の各々に著作物の画像データ２３１を表示させる際には、コピーされる楽譜の数やページ数に応じた著作権使用料が装置毎に支払われるための支払処理を実行する。著作物管理装置２５は、著作権使用料の支払処理が完了した著作物の画像データを、ネットワーク２００を介して、著作物使用側に配置された画像分析装置２１に送信する。
【０１０７】
画像分析装置２１は、ネットワーク２００を介して、検証対象物に該当する著作物の画像データを著作物管理装置２５から受信する。画像分析装置２１は、著作物管理装置２５から受信した著作物の画像データを表示装置２３０に送信する。表示装置２３０は、画像分析装置２１から著作物の画像データを受信する。表示装置２３０は、画像分析装置２１から受信した著作物の画像データ２３１をモニターに表示させる。ユーザは、表示装置２３０のモニターに表示された著作物の画像データ２３１を閲覧することによって、その著作物を使用できる。
【０１０８】
以上のように、本実施形態においては、カメラ、画像分析装置、および表示装置が著作物使用側の管理下に配置され、著作物データベース、登録情報データベース、および著作物管理装置が著作物提供側の管理下に配置される。また、著作物提供側の管理下には、著作物管理装置による著作物の著作権使用料の支払処理による課金を受け付ける課金システムが配置されてもよい。
【０１０９】
カメラは、ユーザの操作に応じて検証対象物を撮影し、撮影した検証対象物の画像データをユーザのユーザ識別子に関連付けて著作物管理装置に送信する。画像分析装置は、ユーザ識別子に関連付けられた検証対象物の画像データをカメラから受信し、受信した検証対象物の画像データから生成した検証対象物の特徴データをユーザ識別子に関連付けて著作物管理装置に送信する。著作物管理装置は、ユーザ識別子に関連付けられた検証対象物の特徴データを画像分析装置から受信し、受信した検証対象物の特徴データに基づいて検出された著作物の画像データを画像分析装置に送信する。画像分析装置は、検証対象物に該当する著作物の画像データを著作物管理装置から受信し、受信した著作物の画像データを表示装置に転送する。表示装置は、著作物の画像データを画像分析装置から受信し、受信した著作物の画像データを表示させる。
【０１１０】
本実施形態によれば、検証対象物の画像データから特徴データを著作物使用側において生成してから著作物提供側に送信するため、画像分析装置から著作物管理装置に送信するデータの容量が少なくて済む。
【０１１１】
（第３の実施形態）
次に、本発明の第３の実施形態に係る著作物提供システムについて図面を参照しながら説明する。図１４は、本実施形態の著作物提供システムの構成について説明するためのブロック図である。本実施形態の著作物提供システムは、画像分析装置３１、著作物ＤＢ３２、登録情報ＤＢ３３、および著作物管理装置３５を備える。本実施形態の著作物提供システムは、第２の実施形態とは異なり、著作物使用側と著作物提供側とに分散して配置される。第２の実施形態と異なる点は、課金システム３６０が著作物提供側とは異なる使用料回収側に配置される点である。例えば、著作物提供側は著作物販売業者であり、使用料回収側は著作権管理団体である。なお、本実施形態の著作物提供システムの構成の各々は、第１の実施形態の著作物提供システム１０の対応する構成の各々と同様の機能を有するため、詳細な説明は省略する。
【０１１２】
著作物使用側には、本実施形態の著作物提供システムの画像分析装置３１に加えて、カメラ３２０および表示装置３３０が配置される。例えば、画像分析装置３１は、無線通信によって、カメラ３２０および表示装置３３０と接続されるアプリケーションサーバやコンピュータによって実現できる。画像分析装置３１は、インターネットやイントラネットなどのネットワーク３００を介して、著作物管理装置３５と接続される。
【０１１３】
著作物提供側には、著作物ＤＢ３２、登録情報ＤＢ３３、および著作物管理装置３５が配置される。例えば、著作物ＤＢ３２、登録情報ＤＢ３３、および著作物管理装置３５は、クラウドサーバに配置される。著作物ＤＢ３２、登録情報ＤＢ３３、および著作物管理装置３５は、同一のサーバに配置されてもよいし、互いに異なるサーバに配置されてもよい。
【０１１４】
使用料回収側には、課金システム３６０が配置される。例えば、課金システム３６０は、クラウドサーバに配置される。著作物管理装置３５と課金システム３６０とは、管理主体は異なるものの、同一のサーバに配置されてもよい。著作物管理装置３５と課金システム３６０とは、異なるサーバに配置される場合、ネットワーク３００を介して接続される。
【０１１５】
図１５は、本実施形態の著作物提供システムの適用例について説明するための概念図である。図１５の例では、カメラ３２０および表示装置３３０が、画像分析装置３１を含む専用サーバに無線通信によって接続される。カメラ３２０は、ユーザの操作に応じて検証対象物３２１を撮影すると、その検証対象物の画像データを画像分析装置３１に送信する。画像分析装置３１は、検証対象物の画像データから特徴データを生成する、画像分析装置３１は、ネットワーク３００を介して、検証対象物の画像データから生成された特徴データをクラウドサーバ側に配置された著作物管理装置３５に送信する。
【０１１６】
クラウドサーバ側に配置された著作物管理装置３５は、ネットワーク３００を介して、検証対象物の特徴データを画像分析装置３１から受信する。著作物管理装置３５は、著作物ＤＢ３２を検索し、著作物ＤＢ３２に格納された著作物の画像データと、受信した検証対象物の特徴データとを照合する。著作物管理装置３５は、検証対象物の特徴データと照合する著作物を検出すると、登録情報ＤＢ３３に登録されたユーザの登録情報に基づいて、その著作物を使用するための著作権使用料の支払処理を課金システム３６０に対して実行する。著作物管理装置３５は、著作権使用料の支払処理が完了した著作物の画像データを、ネットワーク３００を介して、著作物使用側に配置された画像分析装置３１に送信する。
【０１１７】
画像分析装置３１は、ネットワーク３００を介して、検証対象物に該当する著作物の画像データを著作物管理装置３５から受信する。画像分析装置３１は、著作物管理装置３５から受信した著作物の画像データを表示装置３３０に送信する。表示装置３３０は、画像分析装置３１から著作物の画像データを受信する。表示装置３３０は、画像分析装置３１から受信した著作物の画像データ３３１をモニターに表示させる。ユーザは、表示装置３３０のモニターに表示された著作物の画像データ３３１を閲覧することによって、その著作物を使用できる。
【０１１８】
以上のように、本実施形態においては、カメラ、画像分析装置、および表示装置が著作物使用側の管理下に配置され、著作物データベース、登録情報データベース、および著作物管理装置が著作物提供側の管理下に配置される。また、著作物提供側の管理下には、著作物管理装置による著作物の著作権使用料の支払処理による課金を受け付ける課金システムが配置される。
【０１１９】
本実施形態によれば、著作物の著作物提供システムと、課金システムとが明確に異なる主体によって管理されるシステムを構成できる。
【０１２０】
（第４の実施形態）
次に、本発明の第４の実施形態に係る著作物提供システムについて図面を参照しながら説明する。図１６は、本実施形態の著作物提供システムの構成について説明するためのブロック図である。本実施形態の著作物提供システムは、画像分析装置４１、著作物ＤＢ４２、登録情報ＤＢ４３、および著作物管理装置４５を備える。本実施形態の著作物提供システムは、第２および第３の実施形態とは異なり、著作物提供側に集中して配置される。なお、本実施形態の著作物提供システムの構成の各々は、第１の実施形態の著作物提供システム１０の対応する構成の各々と同様の機能を有するため、詳細な説明は省略する。
【０１２１】
著作物使用側には、カメラ４２０および表示装置４３０に加えて、送受信装置４７が配置される。送受信装置４７と画像分析装置４１とは、インターネットやイントラネットなどのネットワーク４００を介して接続される。例えば、送受信装置４７は、無線通信によってカメラ４２０および表示装置４３０接続できるモバイルルーターによって実現できる。
【０１２２】
著作物提供側には、画像分析装置４１、著作物ＤＢ４２、登録情報ＤＢ４３、および著作物管理装置４５に加えて、課金システム４６０が配置される。例えば、画像分析装置４１、著作物ＤＢ４２、登録情報ＤＢ４３、著作物管理装置４５、および課金システム４６０は、クラウドサーバに配置される。画像分析装置４１、著作物ＤＢ４２、登録情報ＤＢ４３、著作物管理装置４５、および課金システム４６０は、同一のサーバに配置されてもよいし、互いに異なるサーバに配置されてもよい。また、第２の実施形態のように、本実施形態の提供装置と、課金システム４６０とを異なる主体が管理するように構成してもよい。著作物管理装置４５と課金システム４６０とは、異なるサーバに配置される場合、ネットワーク４００を介して接続される。
【０１２３】
図１７は、本実施形態の著作物提供システムの適用例について説明するための概念図である。図１７の例では、カメラ４２０および表示装置４３０が、無線通信によって送受信装置４７に接続される。カメラ４２０は、ユーザの操作に応じて検証対象物４２１を撮影すると、その検証対象物の画像データを送受信装置４７に送信する。送受信装置４７は、ネットワーク４００を介して、検証対象物の画像データを画像分析装置４１に送信する。
【０１２４】
クラウドサーバ側に配置された画像分析装置４１は、ネットワーク４００を介して、検証対象物の画像データを送受信装置４７から受信する。画像分析装置４１は、検証対象物の画像データから特徴データを生成する。画像分析装置４１は、検証対象物の画像データから生成された特徴データを著作物管理装置４５に送信する。著作物管理装置４５は、検証対象物の特徴データを画像分析装置４１から受信する。著作物管理装置４５は、著作物ＤＢ４２を検索し、著作物ＤＢ４２に格納された著作物の画像データと、受信した検証対象物の特徴データとを照合する。著作物管理装置４５は、検証対象物の特徴データと照合する著作物を検出すると、登録情報ＤＢ４３に登録されたユーザの登録情報に基づいて、その著作物を使用するための著作権使用料の支払処理を課金システム４６０に対して実行する。著作物管理装置４５は、著作権使用料の支払処理が完了した著作物の画像データを画像分析装置４１に送信する。画像分析装置４１は、検証対象物に該当する著作物の画像データを著作物管理装置４５から受信する。画像分析装置４１は、ネットワーク４００を介して、著作物管理装置４５から受信した著作物の画像データを著作物使用側の送受信装置４７に送信する。
【０１２５】
送受信装置４７は、ネットワーク４００を介して、著作物の画像データを受信する。送受信装置４７は、受信した著作物の画像データを表示装置４３０に送信する。表示装置４３０は、送受信装置４７から著作物の画像データを受信する。表示装置４３０は、送受信装置４７から受信した著作物の画像データ４３１をモニターに表示させる。ユーザは、表示装置４３０のモニターに表示された著作物の画像データ４３１を閲覧することによって、その著作物を使用できる。
【０１２６】
以上のように、本実施形態においては、カメラ、送受信装置、および表示装置が著作物使用側の管理下に配置され、画像分析装置、著作物データベース、登録情報データベース、および著作物管理装置が著作物提供側の管理下に配置される。
【０１２７】
カメラは、ユーザの操作に応じて検証対象物を撮影し、撮影した検証対象物の画像データをユーザのユーザ識別子に関連付けて送受信装置に送信する。送受信装置は、ユーザ識別子に関連付けられた検証対象物の画像データをカメラから受信し、受信した検証対象物の画像データを画像分析装置に送信する。画像分析装置は、ユーザ識別子に関連付けられた検証対象物の画像データを送受信装置から受信し、受信した検証対象物の画像データから生成した検証対象物の特徴データをユーザ識別子に関連付けて著作物管理装置に送信する。著作物管理装置は、ユーザ識別子に関連付けられた検証対象物の特徴データを画像分析装置から受信し、受信した検証対象物の特徴データに基づいて検出された著作物の画像データを画像分析装置に送信する。画像分析装置は、検証対象物に該当する著作物の画像データを著作物管理装置から受信し、受信した著作物の画像データを送受信装置に転送する。送受信装置は、検証対象物に該当する著作物の画像データを画像分析装置から受信し、受信した著作物の画像データを表示装置に転送する。表示装置は、著作物の画像データを送受信装置から受信し、受信した著作物の画像データを表示する。
【０１２８】
本実施形態によれば、著作物使用側に画像分析装置を設置しなくてもよいため、著作物使用側におけるシステムの導入費用を削減できる。
【０１２９】
（第５の実施形態）
次に、本発明の第５の実施形態に係る著作物提供システムについて図面を参照しながら説明する。図１８は、本実施形態の著作物提供システムの構成について説明するためのブロック図である。本実施形態の著作物提供システムは、画像分析装置５１、著作物ＤＢ５２、登録情報ＤＢ５３、使用側著作物ＤＢ５４、および著作物管理装置５５を備える。使用側著作物ＤＢ５４には、著作物ＤＢ５２に格納された著作物のうち少なくとも一部が格納される。本実施形態の著作物提供システムは、第４の実施形態とは異なり、主な機能が著作物使用側に集中して配置される。なお、本実施形態の著作物提供システムの構成の各々は、使用側著作物ＤＢ５４以外は、第１の実施形態の著作物提供システム１０の対応する構成の各々と同様の機能を有するため、詳細な説明は省略する。
【０１３０】
著作物使用側には、カメラ５２０および表示装置５３０に加えて、送受信装置５７が配置される。また、著作物使用側には、画像分析装置５１、登録情報ＤＢ５３、使用側著作物ＤＢ５４、および著作物管理装置５５が配置される。例えば、画像分析装置５１、登録情報ＤＢ５３、使用側著作物ＤＢ５４、および著作物管理装置５５は、著作物使用側に配置された専用のアプリケーションサーバやコンピュータに配置される。送受信装置５７と画像分析装置５１とは、インターネットやイントラネットなどのネットワーク５００Ａを介して接続される。例えば、送受信装置５７は、無線通信によってカメラ５２０および表示装置５３０接続できるモバイルルーターによって実現できる。なお、カメラ５２０および表示装置５３０と、画像分析装置５１とを直接接続し、送受信装置５７を省略してもよい。また、著作物管理装置５５は、インターネットやイントラネットなどのネットワーク５００Ｂを介して、著作物提供側に配置された著作物ＤＢ５２や課金システム５６０に接続される。
【０１３１】
著作物提供側には、著作物ＤＢ５２および課金システム５６０が配置される。例えば、著作物ＤＢ５２および課金システム５６０は、クラウドサーバに配置される。著作物ＤＢ５２および課金システム５６０は、同一のサーバに配置されてもよいし、互いに異なるサーバに配置されてもよい。また、第２の実施形態のように、本実施形態の提供装置と、課金システム５６０とを異なる主体が管理するように構成してもよい。
【０１３２】
図１９は、本実施形態の著作物提供システムの適用例について説明するための概念図である。図１９の例では、カメラ５２０および表示装置５３０が、無線通信によって送受信装置５７に接続される。カメラ５２０は、ユーザの操作に応じて検証対象物５２１を撮影すると、その検証対象物の画像データを送受信装置５７に送信する。送受信装置５７は、ネットワーク５００Ａを介して、検証対象物の画像データを画像分析装置５１に送信する。
【０１３３】
画像分析装置５１は、ネットワーク５００Ａを介して、検証対象物の画像データを送受信装置５７から受信する。画像分析装置５１は、検証対象物の画像データから特徴データを生成する。画像分析装置５１は、検証対象物の画像データから生成された特徴データを著作物管理装置５５に送信する。著作物管理装置５５は、検証対象物の特徴データを画像分析装置５１から受信する。著作物管理装置５５は、使用側著作物ＤＢ５４を検索し、使用側著作物ＤＢ５４に格納された著作物の画像データと、受信した検証対象物の特徴データとを照合する。また、著作物管理装置５５は、検証対象物の特徴データと照合する著作物を使用側著作物ＤＢ５４から検出できなかった場合、著作物ＤＢ５２を検索するように構成してもよい。
【０１３４】
著作物管理装置５５は、検証対象物の特徴データと照合する著作物を検出すると、登録情報ＤＢ５３に登録されたユーザの登録情報に基づいて、その著作物を使用するための著作権使用料の支払処理を課金システム５６０に対して実行する。著作物管理装置５５は、著作権使用料の支払処理が完了した著作物の画像データを画像分析装置５１に送信する。画像分析装置５１は、検証対象物に該当する著作物の画像データを著作物管理装置５５から受信する。画像分析装置５１は、ネットワーク５００Ａを介して、著作物管理装置５５から受信した著作物の画像データを著作物使用側の送受信装置５７に送信する。
【０１３５】
送受信装置５７は、ネットワーク５００Ａを介して、著作物の画像データを受信する。送受信装置５７は、受信した著作物の画像データを表示装置５３０に送信する。表示装置５３０は、送受信装置５７から著作物の画像データを受信する。表示装置５３０は、送受信装置５７から受信した著作物の画像データ５３１をモニターに表示させる。ユーザは、表示装置５３０のモニターに表示された著作物の画像データ５３１を閲覧することによって、その著作物を使用できる。
【０１３６】
以上のように、本実施形態においては、カメラ、送受信装置、表示装置、使用側著作物データベース、登録情報データベース、画像分析装置、および著作物管理装置が著作物使用側の管理下に配置され、著作物データベースが著作物提供側の管理下に配置される。
【０１３７】
使用側著作物データベースには、著作物データベースに格納された著作物の少なくとも一部が格納される。カメラは、ユーザの操作に応じて検証対象物を撮影し、撮影した検証対象物の画像データをユーザのユーザ識別子に関連付けて送信する。送受信装置は、ユーザ識別子に関連付けられた検証対象物の画像データをカメラから受信し、受信した検証対象物の画像データを画像分析装置に送信する。画像分析装置は、ユーザ識別子に関連付けられた検証対象物の画像データを送受信装置から受信し、受信した検証対象物の画像データから生成した検証対象物の特徴データをユーザ識別子に関連付けて著作物管理装置に送信する。著作物管理装置は、ユーザ識別子に関連付けられた検証対象物の特徴データを画像分析装置から受信し、受信した検証対象物の特徴データに基づいて検出された著作物の画像データを画像分析装置に送信する。画像分析装置は、検証対象物に該当する著作物の画像データを著作物管理装置から受信し、受信した著作物の画像データを送受信装置に転送する。送受信装置は、検証対象物に該当する著作物の画像データを画像分析装置から受信し、受信した著作物の画像データを表示装置に転送する。表示装置は、著作物の画像データを送受信装置から受信し、受信した著作物の画像データを表示する。
【０１３８】
本実施形態によれば、著作物使用側に使用側著作物ＤＢを配置することによって著作物使用側に閉じられたシステムを構築するため、ネットワーク付加を軽減し、著作物の検索速度を向上できる。
【０１３９】
（ハードウェア）
ここで、本発明の各実施形態に係る著作物提供システムの処理を実行するハードウェア構成について、図２０の情報処理装置９０を一例として挙げて説明する。なお、図２０の情報処理装置９０は、各実施形態の著作物提供システムの処理を実行するための構成例であって、本発明の範囲を限定するものではない。
【０１４０】
図２０のように、情報処理装置９０は、プロセッサ９１、主記憶装置９２、補助記憶装置９３、入出力インターフェース９５および通信インターフェース９６を備える。図２０においては、インターフェースをＩ／Ｆ（Interface）と略して表記する。プロセッサ９１、主記憶装置９２、補助記憶装置９３、入出力インターフェース９５および通信インターフェース９６は、バス９９を介して互いにデータ通信可能に接続される。また、プロセッサ９１、主記憶装置９２、補助記憶装置９３および入出力インターフェース９５は、通信インターフェース９６を介して、インターネットやイントラネットなどのネットワークに接続される。
【０１４１】
プロセッサ９１は、補助記憶装置９３等に格納されたプログラムを主記憶装置９２に展開し、展開されたプログラムを実行する。本実施形態においては、情報処理装置９０にインストールされたソフトウェアプログラムを用いる構成とすればよい。プロセッサ９１は、本実施形態に係る著作物提供システムによる処理を実行する。
【０１４２】
主記憶装置９２は、プログラムが展開される領域を有する。主記憶装置９２は、例えばＤＲＡＭ（Dynamic Random Access Memory）などの揮発性メモリとすればよい。また、ＭＲＡＭ（Magnetoresistive Random Access Memory）などの不揮発性メモリを主記憶装置９２として構成・追加してもよい。
【０１４３】
補助記憶装置９３は、種々のデータを記憶する。補助記憶装置９３は、ハードディスクやフラッシュメモリなどのローカルディスクによって構成される。なお、種々のデータを主記憶装置９２に記憶させる構成とし、補助記憶装置９３を省略することも可能である。
【０１４４】
入出力インターフェース９５は、情報処理装置９０と周辺機器とを接続するためのインターフェースである。通信インターフェース９６は、規格や仕様に基づいて、インターネットやイントラネットなどのネットワークを通じて、外部のシステムや装置に接続するためのインターフェースである。入出力インターフェース９５および通信インターフェース９６は、外部機器と接続するインターフェースとして共通化してもよい。
【０１４５】
情報処理装置９０には、必要に応じて、キーボードやマウス、タッチパネルなどの入力機器を接続するように構成してもよい。それらの入力機器は、情報や設定の入力に使用される。なお、タッチパネルを入力機器として用いる場合は、表示装置の表示画面が入力機器のインターフェースを兼ねる構成とすればよい。プロセッサ９１と入力機器との間のデータ通信は、入出力インターフェース９５に仲介させればよい。
【０１４６】
また、情報処理装置９０には、情報を表示するための表示装置を備え付けてもよい。表示装置を備え付ける場合、情報処理装置９０には、表示装置の表示を制御するための表示制御装置（図示しない）が備えられていることが好ましい。表示装置は、入出力インターフェース９５を介して情報処理装置９０に接続すればよい。
【０１４７】
また、情報処理装置９０には、必要に応じて、ディスクドライブを備え付けてもよい。ディスクドライブは、バス９９に接続される。ディスクドライブは、プロセッサ９１と図示しない記録媒体（プログラム記録媒体）との間で、記録媒体からのデータ・プログラムの読み出し、情報処理装置９０の処理結果の記録媒体への書き込みなどを仲介する。記録媒体は、例えば、ＣＤ（Compact Disc）やＤＶＤ（Digital Versatile Disc）などの光学記録媒体で実現できる。また、記録媒体は、ＵＳＢ（Universal Serial Bus）メモリやＳＤ（Secure Digital）カードなどの半導体記録媒体や、フレキシブルディスクなどの磁気記録媒体、その他の記録媒体によって実現してもよい。
【０１４８】
以上が、本発明の各実施形態に係る著作物提供システムを可能とするためのハードウェア構成の一例である。なお、図２０のハードウェア構成は、各実施形態に係る著作物提供システムの演算処理を実行するためのハードウェア構成の一例であって、本発明の範囲を限定するものではない。また、各実施形態に係る著作物提供システムに関する処理をコンピュータに実行させるプログラムも本発明の範囲に含まれる。さらに、各実施形態に係るプログラムを記録したプログラム記録媒体も本発明の範囲に含まれる。
【０１４９】
各実施形態の著作物提供システムの構成要素は、任意に組み合わせることができる。また、各実施形態の著作物提供システムの構成要素は、ソフトウェアによって実現してもよいし、回路によって実現してもよい。
【０１５０】
以上、実施形態を参照して本発明を説明してきたが、本発明は上記実施形態に限定されるものではない。本発明の構成や詳細には、本発明のスコープ内で当業者が理解し得る様々な変更をすることができる。
【符号の説明】
【０１５１】
１０    著作物提供システム
１１、２１、３１、４１、５１    画像分析装置
１２、２２、３２、４２、５２    著作物ＤＢ
１３、２３、３３、４３、５３    登録情報ＤＢ
１５、２５、３５、４５、５５    著作物管理装置
５４    使用側著作物ＤＢ
１１１    画像データ送受信部
１１２    特徴データ生成部
１１３    データ送受信部
１２０、２２０、３２０、４２０、５２０    カメラ
１３０、２３０、３３０、４３０、５３０    表示装置
１５１    データ送受信部
１５２    著作物検索部
１５３    登録情報検索部
１５５    検索結果検証部
１５７    使用料支払部
１６０、２６０、３６０、４６０、５６０    課金システム
【図１】
2020190858.tif 000003
【図２】
2020190858.tif 000004
【図３】
2020190858.tif 000005
【図４】
2020190858.tif 000006
【図５】
2020190858.tif 000007
【図６】
2020190858.tif 000008
【図７】
2020190858.tif 000009
【図８】
2020190858.tif 000010
【図９】
2020190858.tif 000011
【図１０】
2020190858.tif 000012
【図１１】
2020190858.tif 000013
【図１２】
2020190858.tif 000014
【図１３】
2020190858.tif 000015
【図１４】
2020190858.tif 000016
【図１５】
2020190858.tif 000017
【図１６】
2020190858.tif 000018
【図１７】
2020190858.tif 000019
【図１８】
2020190858.tif 000020
【図１９】
2020190858.tif 000021
【図２０】
2020190858.tif 000022